(57)【要約】【課題】支持姿勢を良好に保持して安定的に運搬することができ、かつ、爪刃部分の支持箇所における位置決め調節を省略することができ、しかも、爪刃を確実に保護することができる農用トラクターのロータリー運搬用具を提供することを課題とする。【解決手段】側面Ｌ字状に形成された一対の屈曲フレーム１１・１１が対向的に並行連結されて台座部１２と取付端部１３とを有する本体部１を構成し、この本体部１における台座部１２上には爪刃ｂ・ｂ…に外接して支承可能な凹形の爪刃支持緩衝板２を設ける一方、取付端側１３の先端近傍には取付ブラケット部材３を配設し、ロータリーＲの爪刃ｂ・ｂ…全体を前記爪刃支持緩衝板２に載置し、かつ、前記取付ブラケット部材３をアーム部材ｄに取り付け固定し、前記台座部１２の裏底面に設置されたキャスター４により移動自在にするという技術的手段を採用した。【選択図】  図１
2004236540.tif 000002
【特許請求の範囲】
【請求項１】
ロータリー軸ａの周面に沿って爪刃ｂ・ｂ…が略均等に突設されており、かつ、前記ロータリー軸ａと同心円の弧状側面を有するロータリーカバーｃが、前記爪刃ｂ・ｂ…の外側周上を前記ロータリー軸ａの前後面の下部を除いて覆設されており、このロータリーカバーｃからアーム部材ｄが持出成形されて構成される、農用トラクターの後部に着脱自在なロータリーＲを運搬するための用具であって、
側面Ｌ字状に形成された一対の屈曲フレーム１１・１１が対向的に並行連結されて台座部１２と取付端部１３とを有する本体部１を構成し、この本体部１における台座部１２上には前記爪刃ｂ・ｂ…に外接して支承可能な凹形の爪刃支持緩衝板２を設ける一方、取付端側１３の先端近傍には取付ブラケット部材３を配設して、
ロータリーＲの爪刃ｂ・ｂ…全体を前記爪刃支持緩衝板２に載置し、かつ、前記取付ブラケット部材３をアーム部材ｄに取り付け固定し、前記台座部１２の裏底面に設置されたキャスター４により移動自在にしたことを特徴とする農用トラクターのロータリー運搬用具。
【請求項２】
爪刃支持緩衝板２の上部支持面にヤゲン溝２１が形成されたことを特徴とする請求項１記載の農用トラクターのロータリー運搬用具。
【請求項３】
爪刃支持緩衝板２がゴム系弾性材料で作成されていることを特徴とする請求項１または２記載の農用トラクターのロータリー運搬用具。
【請求項４】
取付ブラケット部材３がアーム部材ｄに形成された取付孔にネジ部材を挿通して固定可能に構成されたことを特徴とする請求項１〜３の何れか一つに記載の農用トラクターのロータリー運搬用具。
【発明の詳細な説明】
【０００１】
【発明の属する技術分野】
本発明は、運搬用具の改良、更に詳しくは、支持姿勢を良好に保持して安定的に運搬することができ、かつ、爪刃部分の支持箇所における位置決め調節を省略することができ、しかも、爪刃を確実に保護することができる農用トラクターのロータリー運搬用具に関するものである。
【０００２】
【従来の技術】
周知のとおり、田圃などを耕耘するためには、トラクターの後部にロータリーを装着し、このロータリーの爪刃を回転させながら牽引して行っている。ところで、このロータリーを離脱する場合、このロータリーは非常に重量である上に、爪刃が下方に露出していることから、通常の台車では上手く姿勢を保して載置することができず、バランスを崩して転倒すると非常に危険であった。
【０００３】
そこで、従来、かかるロータリーを運搬する装置として、支持具がロータリーのカバーに一体に取り付けられて、この支持具を使用して懸架した状態で運搬できるものが開示されている（特許文献１参照）。しかしながら、この支持具の場合、取付ブラケットのみで支持しているため、取付部に荷重が集中して破損するおそれがあり、延いては、ロータリーが落下して作業者がケガをする危険や、ロータリー自体の破損のおそれがある。
【０００４】
また、ロータリーのカバーに一部を取り付けて、かつ、ロータリーの爪軸を支持するものが開示されている（特許文献２参照）。しかしながら、この支持具の場合、爪軸を支持するために爪軸支持台が耕耘爪に干渉しないように位置決め調節せねばならず、作業が面倒であるし、支持位置を誤って耕耘爪を破損してしまうおそれがある。
【０００５】
【特許文献１】
特開平１１−２４３７０４号公報  （第２−３頁、第１−２図）
【特許文献２】
特開平２０００−８３４０９号公報  （第２−４頁、第１−３図）
【０００６】
【発明が解決しようとする課題】
本発明は、従来のロータリー運搬用具に上記のような不都合があったことに鑑みて為されたものであり、その目的とするところは、支持姿勢を良好に保持して安定的に運搬することができ、かつ、爪刃部分の支持箇所における位置決め調節を省略することができ、しかも、爪刃を確実に保護することができる農用トラクターのロータリー運搬用具を提供することにある。
【０００７】
【課題を解決するための手段】
本発明者が上記課題を解決するために採用した手段を添附図面を参照して説明すれば次のとおりである。
【０００８】
即ち、本発明は、ロータリー軸ａの周面に沿って爪刃ｂ・ｂ…が略均等に突設されており、かつ、前記ロータリー軸ａと同心円の弧状側面を有するロータリーカバーｃが、前記爪刃ｂ・ｂ…の外側周上を前記ロータリー軸ａの前後面の下部を除いて覆設されており、このロータリーカバーｃからアーム部材ｄが持出成形されて構成される、農用トラクターの後部に着脱自在なロータリーＲを運搬するための用具であって、
側面Ｌ字状に形成された一対の屈曲フレーム１１・１１が対向的に並行連結されて台座部１２と取付端部１３とを有する本体部１を構成し、この本体部１における台座部１２上には前記爪刃ｂ・ｂ…に外接して支承可能な凹形の爪刃支持緩衝板２を設ける一方、取付端側１３の先端近傍には取付ブラケット部材３を配設して、
ロータリーＲの爪刃ｂ・ｂ…全体を前記爪刃支持緩衝板２に載置し、かつ、前記取付ブラケット部材３をアーム部材ｄに取り付け固定し、前記台座部１２の裏底面に設置されたキャスター４により移動自在にするという技術的手段を採用した。
【０００９】
また、本発明は、上記課題を解決するために、必要に応じて上記手段に加え、爪刃支持緩衝板２の上部支持面にヤゲン溝２１を形成するという技術的手段を採用した。
【００１０】
また、本発明は、上記課題を解決するために、必要に応じて上記手段に加え、爪刃支持緩衝板２をゴム系弾性材料で作成するという技術的手段を採用した。
【００１１】
また、本発明は、上記課題を解決するために、必要に応じて上記手段に加え、取付ブラケット部材３をアーム部材ｄに形成された取付孔にネジ部材を挿通して固定可能に構成するという技術的手段を採用した。
【００１２】
【発明の実施の形態】
本発明の実施形態を具体的に図示した図面に基いて更に詳細に説明すると次のとおりである。
【００１３】
本発明の実施形態を図１から図３に基いて説明する。図中、符号１で指示するものは本体部であり、この本体部１は、側面Ｌ字状に形成された一対の屈曲フレーム１１・１１が対向的に並行連結されて台座部１２と取付端部１３とを有する。
【００１４】
また、符号２で指示するものは爪刃支持緩衝板であり、この爪刃支持緩衝板２は、ロータリーＲの爪刃ｂ・ｂ…全体を前記爪刃支持緩衝板２に載置する部材であって、本実施形態では、爪刃支持緩衝板２の上部支持面にヤゲン溝２１が形成されており、また、使用材料としてゴム系弾性材料を採用する。
【００１５】
また、符号３で指示するものは取付ブラケット部材であり、この取付ブラケット部材３は、アーム部材ｄに形成された取付孔にネジ部材を挿通して固定可能に構成されている。更にまた、符号４で指示するものはキャスターであり、このキャスター４には必要に応じてストッパを設ける。
【００１６】
本実施形態における運搬用具は、農用トラクターの後部に着脱自在なロータリーＲを運搬するための用具である。このロータリーＲは汎用性のものであるが、その構成を説明すると、ロータリー軸ａの周面に沿って（略Ｕ字形の）爪刃ｂ・ｂ…が略均等に突設されており、かつ、前記ロータリー軸ａと同心円の弧状側面を有するロータリーカバーｃが、回転する前記爪刃ｂ・ｂ…の外側周上を前記ロータリー軸ａの前後面の下部を除いて覆設されており、このロータリーカバーｃからアーム部材ｄが持出成形されている。
【００１７】
しかして、本実施形態における運搬用具を構成するにあっては、まず、側面Ｌ字状に形成された一対の屈曲フレーム１１・１１を対向的に並行連結して台座部１２と取付端部１３とを有する本体部１を構成する。本実施形態では、屈曲フレーム１１およびこれらを連結する部材には金属製パイプを使用しており、溶接して連結している。
【００１８】
そして、前記本体部１における台座部１２上には、凹形の爪刃支持緩衝板２を設け、図２に示すように、ロータリーＲの爪刃ｂ・ｂ…に外接して爪刃ｂ・ｂ…全体を前記爪刃支持緩衝板２に支承する。この際、この爪刃支持緩衝板２は上部支持面にヤゲン溝２１を形成することによって、爪刃を坐り良く載置させることができ、また、使用材料としてゴム系弾性材料を採用することによって、爪刃を損傷することなく、緩衝的に載置することができる。
【００１９】
また、取付端側１３の先端近傍には取付ブラケット部材３が配設されており、この取付ブラケット部材３をアーム部材ｄに取り付け固定する。然る後、前記台座部１２の裏底面に設置されたキャスター４により自在に移動ができる。
【００２０】
この際、取付ブラケット部材３は、図３に示すように、アーム部材ｄに形成された取付孔にネジ部材を挿通して固定可能に構成することができる。このようにして、ロータリーＲを安定的に運搬することができるのである。
【００２１】
本発明は概ね上記のように構成されるが、本発明は図示の実施形態に限定されるものでは決してなく、「特許請求の範囲」の記載内において種々の変更が可能であって、例えば、本体部１の屈曲フレーム１１は金属製パイプに限らず、強化プラスチックなどの別材料を使用しても良い。
【００２２】
また、爪刃指示緩衝板２は、上面支持面に円弧状の凹み溝が形成されていても良いし、使用材料においては、プラスチック製のものやスポンジ状のものを採用することができる。更にまた、取付ブラケット部材３の形状も図示のものに限らず、クランプ式やボルト／ナット式のものなどに変更することができ、何れのものも本発明の技術的範囲に属する。
【００２３】
【発明の効果】
以上、実施形態をもって説明したとおり、本発明においては、爪刃支持緩衝板および取付ブラケット部材の二箇所でもってロータリーを支持したことにより、支持姿勢を良好に保持して安定的に運搬することができる。
【００２４】
また、爪刃支持緩衝板を配設して爪刃を面的に支持して載置できるようにしたことにより、爪刃部分の支持箇所における位置決め調節を省略することができると共に、爪刃を確実に保護することができることから、実用的利用価値は頗る高い。
【図面の簡単な説明】
【図１】本発明の実施形態の運搬用具を表わす全体斜視図である。
【図２】本発明の実施形態の運搬用具の使用状態を表わす説明側面図である。
【図３】本発明の実施形態の運搬用具の取付ブラケット部材の取付構造を表わす部分拡大斜視図である。
【符号の説明】
１    本体部
１１  屈曲フレーム
１２  台座部
１３  取付端側
２    爪刃支持緩衝板
２１  ヤゲン溝
３    取付ブラケット部材
４    キャスター
Ｒ    ロータリー
ａ  ロータリー軸
ｂ  爪刃
ｃ  ロータリーカバー
ｄ  アーム部材
【図１】
2004236540.tif 000003
【図２】
2004236540.tif 000004
【図３】
2004236540.tif 000005